(57)【特許請求の範囲】
【請求項１】
容器本体ａの口部ｂへ嵌着する外周壁２とその容器本体ａの内容物を注出する注出筒３とを備えた栓本体１を設け、また、該栓本体の上面に被せて上記注出筒３の閉口を得る蓋体４を設けて、該蓋体をその栓本体１にヒンジ５を介して開閉自在に連設して成る振り混ぜ容器の蓋付き注出栓において、
上記外周壁２の外面から、内縁に係止爪７を備えた係止片６を立設するとともに、閉じた上記蓋体４の周壁８に、その係止爪７と係合する係合爪９を設け、かつ、少なくとも該係合片上方の周壁部分の押し込みにより係止爪７と係合爪９との係合を解除できるように、その蓋体４の周壁８を少なくとも上記係合爪９の周辺で弾性変形可能に形成したことを特徴とする振り混ぜ容器の蓋付き注出栓。
【請求項２】
容器本体ａの口部ｂへ嵌着する外周壁２とその容器本体ａの内容物を注出する注出筒３とを備えた栓本体１を設け、また、該栓本体の上面に被せて上記注出筒３の閉口を得る蓋体４を設けて、該蓋体をその栓本体１にヒンジ５を介して開閉自在に連設して成る振り混ぜ容器の蓋付き注出栓において、
上記外周壁２の外面から、内側に係止爪11を備えた弾性係止片10を、外方への曲げの弾性変形可能に立設し、かつ、閉じた上記蓋体４の周壁12の外面に、その係止爪11と係合する係合爪13を、上記弾性係止片の下端部から一定の間隙を存して突設したことを特徴とする、振り混ぜ容器の蓋付き注出栓。
【請求項３】
容器本体ａの口部ｂへ嵌着する外周壁２とその容器本体ａの内容物を注出する注出筒３とを備えた栓本体１を設け、また、該栓本体の上面に被せて上記注出筒３の閉口を得る蓋体４を設けて、該蓋体をその栓本体１にヒンジ５を介して開閉自在に連設して成る振り混ぜ容器の蓋付き注出栓において、
上記外周壁２の外面から、内縁に係止爪15を備えた弾性係止片14を、外方への曲げの弾性変形可能に立設するとともに、該弾性係止片14の上端部外縁に押下げ舌片16を突設し、かつ、閉じた上記蓋体４の周壁12の外面に、その係止爪15と係合する係合爪17を突設したことを特徴とする振り混ぜ容器の蓋付き注出栓。
【請求項４】
上記栓本体１の外周壁２に、該外周壁２を左右に分断させる破断線18を上記係止片６又は弾性係止片10，14と隣接させて形成した請求項１、請求項２又は請求項３記載の振り混ぜ容器の蓋付き注出栓。
【請求項５】
上記破断線18を傾斜させて形成した請求項４記載の振り混ぜ容器の蓋付き注出栓。
【発明の詳細な説明】
【０００１】
【発明の属する技術分野】
本発明は、振り混ぜ容器の蓋付き注出栓に関するものである。
【０００２】
【従来の技術】
食卓で使用する各種ドレッシング等は、水分とオイル分、或いは、これらと沈殿性乃至浮揚性物質など、非混和性のもの同士を配合していることが多い。したがって、このような非混和性内容物を収容する卓上型の容器は、既によく知られているように、内容物の使用の都度、容器全体をよく振ることで、その内容物を混合させるようにしている（以下、この容器を振り混ぜ容器という。）。
【０００３】
ところで、この種の振り混ぜ容器では、通常、該容器の口部に蓋付き注出栓を備えており、この蓋付き注出栓は、容器口部に嵌着した栓本体に破断開封式の広口の注出筒を有し、かつ、該注出筒を開閉する蓋体を栓本体にヒンジを介して開閉自在に連設している。そして、内容物の注出の際には、その注出筒を破断開口させ、また、蓋体を閉じた状態で容器全体をよく振った後、その蓋体を開けて、注出筒から混合内容物を注出するようにしている。
【０００４】
【発明が解決しようとする課題】
しかし、この蓋付き注出栓では、内容物の混合のために容器全体を振ったときに、勢いよく蓋体にぶつかった内容物によって蓋体が不意に開いてしまうことがあり、その内容物が周辺に飛散して、周辺を汚すことがある。
更に、蓋付き注出栓が合成樹脂製であるのに対し、容器本体がガラス製の場合、用済み後の廃棄にあたり、その蓋付き注出栓を容器本体から取り外すことが容易でなく、資源ゴミとしての分別回収には供し難い。
本発明は、これらの問題点を解決しようとするものであり、併せて、構造並びに製作を簡単にして、安価に提供できるよにしようとするものである。
【０００５】
【課題を解決するための手段】
上記目的達成のため、請求項１の発明は、容器本体ａの口部ｂへ嵌着する外周壁２とその容器本体ａの内容物を注出する注出筒３とを備えた栓本体１を設け、また、該栓本体の上面に被せて上記注出筒３の閉口を得る蓋体４を設けて、該蓋体をその栓本体１にヒンジ５を介して開閉自在に連設して成る振り混ぜ容器の蓋付き注出栓において、上記外周壁２の外面から、内縁に係止爪７を備えた係止片６を立設するとともに、閉じた上記蓋体４の周壁８の適所に、その係止爪７と係合する係合爪９を設け、かつ、少なくとも該係合片上方の周壁部分の押し込みにより係止爪７と係合爪９との係合を解除できるように、その蓋体４の周壁８を少なくとも上記係合爪９の周辺で弾性変形可能に形成している。
【０００６】
請求項２の発明は、 容器本体ａの口部ｂへ嵌着する外周壁２とその容器本体ａの内容物を注出する注出筒３とを備えた栓本体１を設け、また、該栓本体の上面に被せて上記注出筒３の閉口を得る蓋体４を設けて、該蓋体をその栓本体１にヒンジ５を介して開閉自在に連設して成る振り混ぜ容器の蓋付き注出栓において、
上記外周壁２の外面から、内側に係止爪11を備えた弾性係止片10を、外方への曲げの弾性変形可能に立設し、かつ、閉じた上記蓋体４の周壁12の外面に、その係止爪11と係合する係合爪13を、上記弾性係止片の下端部から一定の間隙を存して突設している。
【０００７】
請求項３の発明は、容器本体ａの口部ｂへ嵌着する外周壁２とその容器本体ａの内容物を注出する注出筒３とを備えた栓本体１を設け、また、該栓本体の上面に被せて上記注出筒３の閉口を得る蓋体４を設けて、該蓋体をその栓本体１にヒンジ５を介して開閉自在に連設して成る振り混ぜ容器の蓋付き注出栓において、
上記外周壁２の外面から、内縁に係止爪15を備えた弾性係止片14を、外方への曲げの弾性変形可能に立設するとともに、該弾性係止片14の上端部外縁に押下げ舌片16を突設し、かつ、閉じた上記蓋体４の周壁12の外面に、その係止爪15と係合する係合爪17を突設している。
【０００８】
請求項４の発明は、請求項１、請求項２又は請求項３の振り混ぜ容器の蓋付き注出栓にあって、上記栓本体１の外周壁２に、該外周壁２を左右に分断させる破断線18を上記係止片６又は弾性係止片10，14と隣接させて形成して成る。
【０００９】
請求項５の発明は、請求項４の振り混ぜ容器の蓋付き注出栓にあって、上記破断線18を傾斜させて形成して成る。
【００１０】
【発明の実施の形態】
その1.
図１乃至図３は、請求項１、請求項４、請求項５に係る実施の形態その1.を示している。
図１乃至図３において、１は、外周壁２にて容器本体ａの口部ｂへと嵌着した栓本体、３は、該栓本体に破断開口可能に設けた広口の注出筒、４は、その栓本体１の上面に被せて注出筒３を閉口させる蓋体、５は、後部にて該蓋体をその栓本体１に開閉自在に連設した薄肉ヒンジであり、これらは、合成樹脂により一体成形している。
【００１１】
栓本体１は、外周壁２の内周面に係合突条19を周設して、容器本体ａの口部ｂ外縁に周設した口縁突条ｃと嵌着係合させるようにし、また、内周壁20を垂設して、該内周壁を容器本体ａの口部ｂ内周面に嵌合させるようにしている。
注出筒３の先端には、ラッパ状に拡開した口唇21を形成しており、注出筒３の内部には、水平閉塞板22を設けるとともに、該水平閉塞板の中間部に薄肉破断線23を一巡させ、かつ、該薄肉破断線の囲成内部にプルリング24を突設して、該プルリングを上方へ引くことでその薄肉破断線23を破断させて開口させる破断開口部25を設けている。
蓋体４は、頂壁26の内面に、注出筒３の口唇21へ嵌合させる口栓27を備えている。
【００１２】
栓本体１の外周壁２には、前面から、内縁に係止爪７を備えた正面形状冂字状の係止片６を立設するとともに、閉じた蓋体４の周壁８の前面に、その係止爪７と係合する係合爪９を設け、かつ、その蓋体４の周壁８を少なくともその係合爪９の周辺で弾性変形可能にやや薄肉に形成して、その周壁８前面を押圧して弾性変形させ、係合爪９を後退させることで、該係合爪９を係止爪７から離脱させるようにしている。
また、栓本体１の外周壁２には、内面において、該外周壁２を左右に分断させる薄肉破断線18を上記係止片６と隣接させて、かつ、ほぼ４５度に傾斜させて形成している。
【００１３】
如上の構成であるから、容器本体ａに収容した非混和性内容物を注出するときは、図１乃至図３に示す蓋体４の閉蓋態勢において、当初、蓋体４の周壁８の前面を指で押圧し、周壁８を弾性変形させることにより係合爪９を係止片６の係止爪７から離脱させて、蓋体４を開蓋させ、現れたプルリング24に指をかけて上方へ強く引くことで水平閉塞板22の薄肉破断線23を破断させて、破断開口部25を開口させる。
以後は、注出の都度、図１乃至図３の閉蓋態勢、すなわち、蓋体４をそのまま閉じて、周壁８の弾性変形のもとに蓋体４の係合爪９を係止片６の係止爪７に自動的に乗り越え係合させた状態において、容器全体をよく振って容器本体ａ内の非混和性内容物を十分に混合させた後、上述のようにして蓋体４の係合爪９を係止片６の係止爪７から離脱させて、蓋体４を開蓋させ、注出筒３からその混合内容物を注出する。
ところで、そのように容器全体を振って容器本体ａ内の非混和性内容物を混合させる際には、注出筒３の口唇21に蓋体１の口栓27が嵌合して注出筒３が閉じており、また、蓋体４に設けた係合爪９と栓本体１に設けた係止片６の係止爪７とがしっかりと係合して、その閉蓋態勢が確保されているから、たとえ内容物が勢いよく蓋体４にぶつかったとしても蓋体４が不意に開くようなことはなく、その内容物が周辺に飛散するようなことはない。
そして、用済み後の廃棄の際には、栓本体１において、蓋体４を開蓋させ、係止片６をつまみにしてこれを外方へ強く引き、外周壁２の薄肉破断線18を破断させて、外周壁２を左右に分断させる。これにより、栓本体１を容器本体ａの口部ｂから簡単に離脱させることができる。したがって、容器本体ａと異材質の場合、支障なく資源ゴミとしての分別回収に供することができる。
【００１４】
その2.図４乃至図６は、請求項２、請求項４、請求項５に係る実施の形態その2.を示している。この場合は、図１乃至図３の実施の形態その1.において、栓本体１の外周壁２前面に設けた正面形状冂字状の係止片を、内側に係止爪11を有する背高の弾性係止片10として外方への曲げの弾性変形可能に立設している。図５に示す如く、上記外周壁２と連結した弾性係止片11と係合爪13との間には間隔を設けている。また蓋体４の周壁12を弾性変形を要しない通常の肉厚のものにして、閉蓋態勢での周壁12の前面に、その係止爪11と係合する係合爪13を突設している。また、その蓋体４の周壁12の前面には、その係合爪13の両脇に、蓋体４の開蓋の際に指を掛ける一対の突子28を突設している。なお、図中、31は、本来の閉蓋係止手段である。その他の構造は、図１乃至図３の実施の形態その1.と実質的に同じであるから、ここでの説明を省略する。かかる構造であるから、図４乃至図６に示す蓋体４の閉蓋態勢において、これを開蓋させるときは、弾性係止片10を外方への弾性変形させて係止爪11を蓋体４の係合爪13から離脱させ、蓋体前面の突子28に指を掛けて開蓋させればよい。また、その開蓋態勢から再び閉蓋させるときは、蓋体４をそのまま閉じて、弾性係止片10の弾性変形のもと係合爪13を係止爪11に自動的に乗り越え係合させればよい。その他の操作、動作、機能等は、図１乃至図３の実施の形態その1.の場合と同様である。
【００１５】
その3.
図７、図８は、請求項３、請求項４、請求項５に係る実施の形態その3.を示している。
この場合は、図１乃至図３の実施の形態その1.において、栓本体１の外周壁２前面に設けた係止片を、平面形状凵字状に形成し、その先端の立上り片29の上端内縁に係止爪15を、また、上端外縁に押下げ舌片16を突設した弾性係止片14として外方への曲げの弾性変形可能に立設し、かつ、蓋体４の周壁12を弾性変形を要しない通常の肉厚のものにして、閉蓋態勢での周壁12の前面に、その係止爪15と係合する係合爪17を突設している。そして、その蓋体４の周壁12の前面には、その係合爪17の両脇に、蓋体４の開蓋の際に指を掛ける一対の突子30を突設している。なお、図中、31は、本来の閉蓋係止手段である。
その他の構造は、図１乃至図３の実施の形態その1.と実質的に同じであるから、説明を省略する。
かかる構造であるから、図７、図８に示す蓋体４の閉蓋態勢において、これを開蓋させるときは、押下げ舌片16を指で押し下げることにより弾性係止片14を外方への弾性変形させて係止爪15を蓋体４の係合爪17から離脱させ、蓋体前面の突子30に指を掛けて開蓋させればよい。また、その開蓋態勢から再び閉蓋させるときは、蓋体４をそのまま閉じて、弾性係止片14の弾性変形のもと係合爪17を係止爪15に自動的に乗り越え係合させればよい。その他の操作、動作、機能等は、図１乃至図３の実施の形態その1.の場合と同様である。
【００１６】
【発明の効果】
請求項１、請求項２、請求項３の発明によれば、既述構成であるから、栓本体１の側に設けた係止片６又は弾性係止片10，14の係止爪７，11，15と、蓋体４の側に設けた係合爪９，13，17との係合により、蓋体４の閉蓋態勢を確実に維持でき、内容物の混合のために容器全体を強く振っても、勢いよく蓋体４にぶつかった内容物で蓋体４が不意に開いてしまようなことはなく、不意の開蓋でその内容物が周辺に飛散して周辺を汚すようなこともない。また、簡単な構成で容易に製作でき、安価に提供できる。
【００１７】
また、請求項４、請求項５の発明によれば、蓋付き注出栓が合成樹脂製であるのに対し、容器本体がガラス製の場合等、異材質であっても、用済み後の廃棄の際には、係止片６又は弾性係止片10，14をつまみにして栓本体１外周壁２の外周壁２における破断線18を破断させることができて、栓本体１を容器本体ａから容易に取り外すことができ、支障なく資源ゴミとしての分別回収に供することができる。
【００１８】
しかも、請求項５の発明によれば、破断線18を斜めに形成しているので、容器本体ａの口部ｂへの嵌着に際し、破断線18に生じる応力集中をその傾斜角に相応して分散させることができて、損傷を低減させることができる。
【図面の簡単な説明】
【図１】  請求項１、請求項４、請求項５の発明に係る実施の形態その1.を示す平面図である。
【図２】  図１のＡ−Ａ線断面図である。
【図３】  同実施の形態における要部の部分正面図である。
【図４】  請求項２、請求項４、請求項５の発明に係る実施の形態その2.を示す平面図である。
【図５】  図４のＢ−Ｂ線断面図である。
【図６】  同実施の形態における要部の部分正面図である。
【図７】  請求項３、請求項４、請求項５の発明に係る実施の形態その3.を示す斜視図である。
【図８】  図７のＣ−Ｃ線断面図である。
【符号の説明】
ａ…容器本体                    ｂ…口部
ｃ…口縁突条
１…栓本体                      ２…外周壁
３…注出筒                      ４…蓋体
５…薄肉ヒンジ                  ６…係止片
７…係止爪                      ８…周壁
９…係合爪                      10…弾性係止片
11…係止爪                      12…周壁
13…係合爪                      14…弾性係止片
15…係止爪                      16…押下げ舌片
17…係合爪                      18…薄肉破断線
19…係合突条                    20…内周壁
21…口唇                        22…水平閉塞板
23…薄肉破断線                  24…プルリング
25…破断開口部                  26…頂壁
27…口栓                        28…突子
29…立上り片                    30…突子
31…閉蓋係止手段
【図１】
0003874932.tif 000002
【図２】
0003874932.tif 000003
【図３】
0003874932.tif 000004
【図４】
0003874932.tif 000005
【図５】
0003874932.tif 000006
【図６】
0003874932.tif 000007
【図７】
0003874932.tif 000008
【図８】
0003874932.tif 000009